(57)【要約】【課題】できるだけ小さい破片であっても金属検出器で異物として確実に検出可能となるような外装を有する筆記具10を提供する。【解決手段】本発明に係る筆記具10は、磁性を有する金属粉（たとえば、フェライト又は酸化鉄粉）を含有した合成樹脂で少なくとも外装（たとえば軸筒10、操作部（ノックボタン27）、キャップ、クリップ25）が形成されたことを特徴とする。【選択図】図１
2018012301.tif 000002
【特許請求の範囲】
【請求項１】
磁性を有する金属粉を含有した合成樹脂で少なくとも外装が形成されたことを特徴とする筆記具。
【請求項２】
前記磁性を有する金属粉の前記合成樹脂中の含有率は５質量％以上８０質量％以下であることを特徴とする請求項１記載の筆記具。
【発明の詳細な説明】
【技術分野】
【０００１】
本発明は、金属粉を含有する合成樹脂で少なくとも一部が形成された工業用途に最適な筆記具に関する。
【背景技術】
【０００２】
筆記具は工場内でも作業記録等の目的で使用されるものであるが、時に製造ラインにその一部又は全部が異物として混入してしまうことがある。特に、食品工場や医薬品工場などでは、異物の混入に細心の注意を払うため、万一そのほんの一部が混入した場合であっても、容易に検出できるような筆記具が望まれている。たとえばこれらのような工場では、異物の混入を検出できるように、製造ラインの一部として金属検出器やＸ線検出器などが組み込まれている。このような検出器で検出できるように、製品に至近な場所では筆記具等の文具も、できるだけ金属製のものが使用されている。
【０００３】
筆記具等の文具でも金属検出器等のある環境下で使用可能とするためには、軸筒等の外装が金属製とする必要があるが、金属製の筆記具は、合成樹脂製のものに比べ一般に高価である。また、合成樹脂製のものに比べ高比重であるため、製品重量が大きくなるので、使用による疲労を招いたり、落下の危険性が高まることもある。したがって、軽量かつ低コストでありつつ、金属検出器でも混入が検出できるような筆記具が待望されていた。一方、上記特許文献１記載の発明のように、樹脂材料に金属光沢を付与するため、アルミニウム粉を含有した筆記具が開示されている。
【先行技術文献】
【特許文献】
【０００４】
【特許文献１】特開２００５−３４４０６７号公報
【発明の概要】
【発明が解決しようとする課題】
【０００５】
しかし、上記特許文献１記載の発明では、樹脂材料に金属光沢を付与するため、アルミニウム粉を０．００１〜１．０重量％と低濃度で含有しているに過ぎず、金属検出器での検出限界には到底達しないものであった。
上記の事情に鑑み、本発明は、できるだけ小さい破片であっても金属検出器で異物として確実に検出可能となるような外装を有する筆記具の提供を目的とする。
【課題を解決するための手段】
【０００６】
上記の課題に鑑み、本発明に係る筆記具10は、磁性を有する金属粉を含有した合成樹脂で少なくとも外装が形成されたことを特徴とする。ここで、「外装」とは、具体的にはたとえば細長筒形状の軸筒20、操作部（ノックボタン27）、キャップ、クリップ25がそれに該当する。これら以外であっても、筆記具10の外表面に露出している部材であればこの「外装」に該当する。もちろん、「外装」に被覆されている内部の部品もこのような合成樹脂で形成されていることが望ましい。
【０００７】
なお、前記磁性を有する金属粉としては、フェライトや酸化鉄粉（Ｆｅ２Ｏ３）を使用することができる。この場合、合成樹脂中の含有率は５質量％以上８０質量％以下であることが望ましい。
【０００８】
ここで、金属粉の含有率が５質量％より少ないと金属検出器内での反応が悪くなる。一方、金属粉の含有率が質量８０％より多いと、射出成形では成形機や金型を損傷する可能性が高くなる。よって、上記のように、合成樹脂中の金属粉の含有率は５質量％以上８０質量％以下であることが望ましい。
【発明の効果】
【０００９】
本発明により、できるだけ小さい破片であっても金属検出器で異物として確実に検出可能となるような外装を有する筆記具の提供が可能となる。
【図面の簡単な説明】
【００１０】
【図１】本発明の実施の形態に係る筆記具の（Ａ）正面図、（Ｂ）右側面図及び（Ｃ）図１（Ａ）中のI−I断面図を示す。
【発明を実施するための形態】
【００１１】
本発明の実施の形態に係る筆記具10は、図１に示すような形態を呈する。
すなわち、該筆記具10は、前筒21と後筒22とが螺着された軸筒20の内部に３本のリフィル30が装着された、いわゆる多芯筆記具である。後筒22の後端には尾栓24が装着されている。尾栓24の正面側からはクリップ25が先端方向に延設されている。後筒22には長手方向に沿って３本のスライド窓23が形成されている。
【００１２】
各リフィル30の後端にはノック動作用のノック棒26が装着されている。ノック棒26の後端近傍には外方に突設されるノックボタン27が形成されている。このノックボタン27は、後筒22の内部後方に挿入されたノックガイド29により保持され、前記スライド窓23を通じて外方へ突出している。また、各リフィル30は、軸筒20の内部に挿入されているガイド部材28を貫通している。さらに、各リフィル30にはスプリング31が外装されている。このスプリング31はノック棒26とガイド部材28との間に介装されており、ノック動作により圧縮される。
【００１３】
該筆記具10を構成する部材のうち、前筒21、後筒22及び尾栓24（クリップ25を含む）は、磁性を有する金属粉としての酸化鉄粉を６０質量％の含有率で含有する合成樹脂（ポリカーボネート樹脂）を射出成形されたものである。なお、この合成樹脂中に、磁性を有する金属粉としてのフェライト粉末を８０質量％の含有率で含有するものを使用してもよい。
【００１４】
上記各部材がこのような混合樹脂で形成されていることで、筆記具10全体はもちろん、上記各部材自体が金属検出器で検出可能となっている。さらに、各部材が破損した場合、少なくとも２ｍｍ四方、好ましくは１ｍｍ四方の微小な大きさの破片であれば金属検出器で検出可能となる。もちろん、上記各部材以外にも、軸筒20の内部に収容される部品、たとえばノック棒26やリフィル30等も、上記のような混合部材で形成されることが望ましい。
【実施例】
【００１５】
（１）フェライト粉末
磁性を有する金属粉であるフェライト粉末（Ｎｉ−ＺｎフェライトＫＮＩ−１０６（商品名、ＪＦＥケミカル株式会社製：平均粒子径０．８μｍ））とポリカーボネート樹脂とを混練し、図１に示すような筆記具10の軸筒20を得た。フェライト粉末と樹脂との混合比は、前者が０質量％に対し後者が１００質量％であるもの（すなわち、金属粉を含有しないもの）から、前者が９０質量％に対し後者が１０質量％であるものまで、１０質量％ずつ変化させたものを作成した（下記表１参照）。
【００１６】
（２）酸化鉄粉
磁性を有する金属粉である酸化鉄粉の四酸化三鉄（ＫＮ−３２０（商品名、戸田工業株式会社製：平均粒子径０．２７μｍ））とポリカーボネート樹脂とを混練し、図１に示すような筆記具10の軸筒20を得た。四酸化三鉄と樹脂との混合比については上記（１）と同様とした（下記表１参照）。
【００１７】
（３）試験方法
アンリツインフィビス株式会社製  金属検出機ＫＤＢ３００８ＡＨＷ（通過高さ５０ｍｍ、通過幅３００ｍｍ）を用い、ベルト送り速度２０ｍ／ｓ、リミット設定５とし、テストピース（基準片）Feφ0.5・SUSφ1.0で確実に検出することを確認し、上記（１）及び（２）で得られた軸筒20を各々
試験片１：１ｍｍ四方、厚さ１ｍｍ
試験片２：２ｍｍ四方、厚さ２ｍｍ
の２通りの大きさの試験片に細切し、金属検出器を通過させて検出可否を確認した。
【００１８】
（４）試験結果
混合比と検出結果を下記表１に示す。なお、下記表１中に示す「可」は検出がされたことを表し、また、「否」は検出がされなかったことを表す。
【００１９】
【表１】
2018012301.tif 000003
【００２０】
上記により、大きさ２ｍｍ立方の試験片２においては、いずれの種類の金属粉でも、混合比０質量％のものを除けば検出可能であった。より高精度が求められる大きさ１ｍｍ立方の試験片１においては、フェライト粉末では５０質量％以上、酸化鉄粉では２０質量％以上で検出可能となった。
【００２１】
なお、いずれの種類の金属粉でも、混合比が８０質量％を超えると（すなわち、混合比９０質量％の場合)、少数の成形で成形機や金型が破損するため、多数回繰り返して多数の軸筒20を成形することはできなかった。よって、工業的な大量生産の観点からは、金属粉の混合比は８０質量％を超えないことが必要である。
【産業上の利用可能性】
【００２２】
本発明は、筆記具の軸筒、操作部（ノックボタン）、キャップ、クリップ等の外装に利用可能である。
【符号の説明】
【００２３】
10  筆記具                20  軸筒                  21  前筒
22  後筒                  23  スライド窓            24  尾栓
25  クリップ              26  ノック棒              27  ノックボタン
28  ガイド部材            29  ノックガイド          30  リフィル
31  スプリング
【図１】
2018012301.tif 000004